(57)【要約】【課題】パンツ型で着用する場合にあっては、その組立作業を必要とせず、展開型で着用する場合にあっては、簡便に組立可能な使い捨て着用物品を提供する。【解決手段】本発明の使い捨ておむつ１は、着用者の胴回り部分に配されるウエストバンド２と、着用者の股下部分に背側から腹側に亘って配される吸収体本体５とを備えている。ウエストバンド２は、背側バンド３と腹側バンド４とが互いに接合されて環状に形成されている。吸収体本体５は、液透過性の表面シート６、液保持性の吸収層７及び液不透過性の裏面シート８が積層されて長尺状に形成されている。吸収体本体５の背側端部５ａは、裏面シート８側が、背側バンド３の内面に固定されており、吸収体本体５の腹側端部５ｂは、表面シート６側が、腹側バンド４の外面に着脱自在に接合されている。【選択図】    図１
2005021196.tif 000002
【特許請求の範囲】
【請求項１】
着用者の胴回り部分に配される胴回り帯体と、着用者の股下部分に背側から腹側に亘って配される吸収体本体とを備えた使い捨て着用物品であって、
前記胴回り帯体は、背側帯体と腹側帯体とにより環状に形成されており、
前記吸収体本体は、液透過性の表面シート、液保持性の吸収層及び液不透過性の裏面シートが積層されて長尺状に形成されており、
前記吸収体本体の一端部は、前記裏面シート側が、前記背側帯体の内面に固定されており、前記吸収体本体の他端部は、前記表面シート側が、前記腹側帯体の外面に着脱自在に接合されている使い捨て着用物品。
【請求項２】
前記腹側帯体には、前記吸収体本体の前記表面シート側の面を露出させる切欠き部が設けられている請求項１に記載の使い捨て着用物品。
【請求項３】
前記腹側帯体には、前記腹側帯体を互いに切離可能な切取部が設けられている請求項１又は２に記載の使い捨て着用物品。
【請求項４】
前記腹側帯体と前記吸収体本体の前記他端部との間には、これらを仮に固定する仮固定部が設けられている請求項１〜３の何れかに記載の使い捨て着用物品。
【請求項５】
前記背側帯体には、股下方向に張り出して前記吸収体本体と重なる張出部が設けられている請求項１〜４の何れかに記載の使い捨て着用物品。
【請求項６】
請求項１〜５の何れかに記載の使い捨て着用物品の製造方法であって、
前記吸収体本体、長手方向に前記背側帯体が連続してなる背側帯連続シート、及び長手方向に前記腹側帯体が連続してなる腹側帯連続シートを用い、
前記背側帯連続シートと前記腹側帯連続シートとを平行且つ長手方向に走行させ、その走行中の該背側帯連続シート及び該腹側帯連続シートに対し、前記吸収体本体の長手方向を直交させ、該吸収体本体を連続的且つ間欠的に供給する工程と、
前記背側帯連続シートと、前記吸収体本体における前記一端部の前記裏面シート側とを重ねた状態で、該背側帯連続シートに該吸収体本体を固定する工程と、
前記腹側帯連続シートと、前記吸収体本体における前記他端部の前記表面シート側とを重ねた状態で、該腹側帯連続シートに該吸収体本体を着脱可能に接合する工程と、
前記吸収体本体の前記一端部の固定及び前記他端部の接合が終了した段階で、前記吸収体本体をその長手方向に沿って二つ折りにし、前記背側帯連続シートと前記腹側帯連続シートとを重ね合わせた状態で所定間隔毎に接合し、その接合部分を切断する工程とを含む使い捨て着用物品の製造方法。
【発明の詳細な説明】
【０００１】
【発明の属する技術分野】
本発明は、乳幼児や介護老人等に用いられる使い捨て着用物品及びその製造方法に関し、特に、パンツ型の使い捨ておむつを装着する技術、及びその使い捨ておむつを製造する技術に関する。
【０００２】
【従来の技術】
従来より、乳幼児や介護老人等の着用者には、パンツ型の使い捨ておむつが用いられている。この使い捨ておむつは、その股下部に、表面シート、吸収層、及び裏面シートからなる吸収体が配されたものである。
【０００３】
近年、着用者の衣類を完全に脱がさなくても簡便に装着し得る、展開型の使い捨ておむつが開発されている。この展開型の使い捨ておむつは、パンツ型の使い捨ておむつを改良したもので、股下部を前身頃部と後身頃部とに分割して展開可能にし、この前身頃部及び後身頃部が互いに接合することにより、パンツ型の使い捨ておむつになるようにしている。このような展開型の使い捨ておむつには、例えば、以下の特許文献１、２に記載されたものがある。
【０００４】
特許文献１には、それぞれに吸収体を配した前身頃部及び後身頃部が、股下部の中央部（最下部）で接合する、使い捨ておむつが開示されている。この使い捨ておむつにおいては、着用する際、前身頃部の先端部と後身頃部の先端部とを、互いに重ね合わせ、その重合部を粘着テープで接合している。
【０００５】
特許文献２には、吸収体を配した後身頃部が、前身頃部の腹側部（前方部）で接合する、使い捨ておむつが開示されている。この使い捨ておむつにおいては、着用する際、前身頃部の先端部分における、２箇所の内面部位に対し、後身頃部の先端部分を外側に折り曲げた内面部位と、その下方近傍に位置する外面部位とを、メカニカルファスナ等を用いて接合している。
【０００６】
一方、特許文献３には、上述のように、股下部を前身頃部と後身頃部とに分割せず、背側端部から腹側端部に亘って一体化した吸収体本体を用いた、展開型の使い捨ておむつが開示されている。この使い捨ておむつにおいては、吸収体本体の背側端部の裏側（裏面シート側）に、ウエストバンドを環状に設け、着用者に装着する際、ウエストバンドを表側（表面シート側）に反転してから、そのウエストバンドの腹側中央部の内側に、吸収体本体の腹側端部を差し込んで接合している。
【０００７】
【特許文献１】
特開平９−５６６号公報
【特許文献２】
特開２００１―２５２３０４号公報
【特許文献３】
特開平６−６３０７６号公報
【０００８】
【発明が解決しようとする課題】
このような従来技術においては、以下に示すような問題があった。
特許文献１の従来技術においては、吸収体が前身頃部と後身頃部とに分割しているため、安定した吸収性能を実現できないおそれがあり、また、前身頃部と後身頃部との接合部分において、表面シート同士の間や、レッグギャザー同士の間に、段差状のエッジが生じ、このエッジが着用者に不快な刺激を与えることがあった。
【０００９】
特許文献１〜３の従来技術においては、パンツ型に組み立てた使い捨ておむつを着用する場合と、展開した状態の使い捨ておむつを装着後にパンツ型に組み立てる場合との何れにも選択可能であるものの、パンツ型で着用する場合や、展開型で着用する場合の何れにあっても、使い捨ておむつを組み立てる際、その組立作業が複雑で手間がかかるという問題があった。
【００１０】
他方、上述のような事情に鑑み、展開型の使い捨ておむつは、製造終了段階で既にパンツ型に組み立てられていることが望ましいが、上記特許文献１〜３に示された、展開型の使い捨ておむつを製造する場合にあっては、複雑な加工や多数の工程を必要とするため、生産性が悪いという問題があった。
【００１１】
従って、本発明の目的は、パンツ型で着用する場合にあっては、その組立作業を必要とせず、展開型で着用する場合にあっては、簡便に組立可能な使い捨て着用物品を提供することにある。
また、本発明の他の目的は、既にパンツ型に組み立てられた使い捨て着用物品を簡便に製造し得る、使い捨て着用物品の製造方法を提供することにある。
【００１２】
【課題を解決するための手段】
本発明は、着用者の胴回り部分に配される胴回り帯体と、着用者の股下部分に背側から腹側に亘って配される吸収体本体とを備えた使い捨て着用物品であって、前記胴回り帯体は、背側帯体と腹側帯体とにより環状に形成されており、前記吸収体本体は、液透過性の表面シート、液保持性の吸収層及び液不透過性の裏面シートが積層されて長尺状に形成されており、前記吸収体本体の一端部は、前記裏面シート側が、前記背側帯体の内面に固定されており、前記吸収体本体の他端部は、前記表面シート側が、前記腹側帯体の外面に着脱自在に接合されている使い捨て着用物品を提供することにより、前記目的を達成したものである。
【００１３】
本発明によれば、胴回り帯体に対し、吸収体本体を、その一端部で固定する一方で、その他端部を腹側帯体の前面に着脱自在にすることにより、他端部の接合を外すだけで、容易に吸収体本体の腹側部分を開放できるため、既にパンツ型に組み立てられた使い捨ておむつを簡便に製造し得ることにつながる。そして、パンツ型で着用する場合にあっては、その組立作業を必要とせず、そのままの状態で使い捨ておむつを着用でき、展開型で着用する場合にあっては、他端部を接合するだけで、簡便にパンツ型に組み立てることができる。
【００１４】
【発明の実施の形態】
以下、本発明に係る使い捨て着用物品及びその製造方法の好ましい一実施形態（第１実施形態）を図面を参照して詳細に説明する。
図１（ａ）、（ｂ）に示すように、本実施形態の使い捨ておむつ（使い捨て着用物品）１は、着用者の胴回り部分に配されるウエストバンド（胴回り帯体）２と、着用者の股下部分に背側から腹側に亘って配される吸収体本体５とを備えている。
ウエストバンド２は、背側バンド（背側帯体）３と腹側バンド（腹側帯体）４とが互いに接合されて環状に形成されている。
吸収体本体５は、液透過性の表面シート６、液保持性の吸収層７及び液不透過性の裏面シート８が積層されて長尺状に形成されている。
吸収体本体５の背側端部（一端部）５ａは、裏面シート８側が、背側バンド３の内面に固定されており、吸収体本体５の腹側端部（他端部）５ｂは、表面シート６側が、腹側バンド４の外面に着脱自在に接合されている。かかる使い捨ておむつ１を詳細に述べる。
【００１５】
ウエストバンド２は、背側バンド３及び腹側バンド４が、それぞれの両端部で互いに接合されることにより、環状に形成されている。このウエストバンド２は、使い捨ておむつ１を着用した際、着用者の胴回り部分を伸縮自在に覆うもので、使い捨ておむつ１を脱がす際、両側にある接合部分２ａ、２ａの剥離により、互いに離間するようになっている。
【００１６】
背側バンド３は、例えば不織布等の帯状シートを２枚重ね合わせて形成され、その間に内在した複数の糸状弾性部材１２により、伸縮性を発揮するようになっている。不織布は撥水性を有することが好ましい。背側バンド３の上端部は、内側（着用者の肌当接側）に折り返して接合されている。腹側バンド４は、背側バンド３とほぼ同様の構成である（異なる点は後述）。
【００１７】
吸収体本体５は、使い捨ておむつ１を着用した際、着用者の股下部分を覆うもので、表面シート６、吸収層７及び裏面シート８が積層されてなる。吸収体本体５は、背側端部５ａから腹側端部５ｂに亘って長尺帯状に形成されており、その両側にある側縁部分には、レッグギャザー５ｃ、５ｃが、着用者の大腿部の輪郭に沿うように内側に湾曲して形成されている。このレッグギャザー５ｃは、表面シート６と裏面シート８との間に内在した複数の糸状弾性部材５ｄにより、伸縮するようになっている。
【００１８】
吸収体本体５は、ウエストバンド２の下側において、上向きの表面シート６が、ウエストバンド２と交差するように配置されており、背側端部５ａが、裏面シート８側で、背側バンド３の中央部の内面に固着されている。背側端部５ａと背側バンド３との固着には、例えば、ホットメルト接着剤等が用いられる。
【００１９】
腹側バンド４の中央部の外面部位には、接合部材９が貼付されており、一方、腹側端部の内面部位（表面シート側の部位）には、被接合部材１０が貼付されている。この接合部材９及び被接合部材１０は、例えば、一対のメカニカルホックのように、互いに着脱自在に構成されたものである。このメカニカルホックは、互いに係合するループ材及びフック材からなり、接合部材９に、ループ材又はフック材の何れか一方を用いた場合、被接合部材１０は、その他方になる。
【００２０】
接合部材９及び被接合部材１０は、吸収体本体５の股下方向の接合位置を調整可能にする観点から、腹側バンド４の接合部材９が、腹側バンド４に相当の面積を占めるシート状であることが好ましく、腹側端部５ｂの被接合部材１０が、そのシート状の外形より小さい、複数の切片状であることが好ましい。
【００２１】
かかる構成を有する使い捨ておむつ１は、腹側端部５ｂの着脱により、吸収体本体５がウエストバンド２に固定された「パンツ型形態」と（図１（ａ）参照）、吸収体本体５の腹側端部５ｂがウエストバンド２から離間して腹側部分を開放した「展開型形態」と（図１（ｂ）参照）に選択されるようになっている。
【００２２】
なお、本実施形態の使い捨ておむつ１は、製造終了段階（出荷段階）で、パンツ型形態になっている（詳細後述）。
このパンツ型形態においては、腹側バンド４と、吸収体本体５の腹側端部５ｂとの間には、仮固定部１１が複数設けられている。この仮固定部１１は、ホットメルト接着剤や溶着手段等を用いて、腹側バンド４と腹側端部５ｂとを一時的に固定するものである。仮固定部１１は、製造段階で腹側端部５ｂの接合が外れないように保護する機能のほか、パンツ型形態で使用する場合に腹側端部５ｂの接合を補強する機能を有するが、一旦、仮固定部１１による固定が解除されると、これらの機能を失う。
【００２３】
ここで、図４又は図１（ｂ）に示すように、腹側バンド４の中央の下端部分（内縁部分）には、切欠き部４ａが形成されている。この切欠き部４ａは、吸収層７の吸収性能を維持する観点から、吸収体本体５の表面シート６側の面を露出させて、吸収層７が腹側バンド４で覆われないようにするものである。
【００２４】
図４に示すように、背側バンド３の中央の下端部分（内縁部分）には、張出部３ａが形成されている。この張出部３ａは、着用者の臀部に対しエッジの接触による不快感を与えないようにする観点や、吸収体本体５のレッグギャザー５ｃを背側バンド３の下端部分にまで延ばす観点から、股下方向に張り出して吸収体本体５の背側部分と重なり、吸収体本体５の側縁部分と背側バンド３の下端部分とを滑らかに繋ぐような形状に形成されている。
【００２５】
次に、上述した使い捨ておむつ１の使用態様を説明する。
着用者に、使い捨ておむつ１を「パンツ型形態」で着用させる場合には、ズボン等の衣類を脱がした後、その使い捨ておむつ１をそのままはかせる。この際、股下調整をするときには、吸収体本体５の腹側端部５ｂを一端外し、着用者の体型に合わせて、再度、腹側端部５ｂを接合する。
【００２６】
着用者に、使い捨ておむつ１を「展開型形態」で着用させる場合には、吸収体本体５の腹側端部５ｂを外して腹側部分を開放し、ウエストバンド２を着用者の胴回り部分に通してから、吸収体本体５を着用者の体型に合わせつつ股下部分に沿わせ、腹側端部５ｂを接合する。この際、予め、着用者の衣類をずらしておく。
【００２７】
介護老人用の使い捨ておむつ１にあっては、吸収体本体５に補助パッド（図示しない）が交換可能に取り付けられたものがあり、この補助パッドを交換する際、使い捨ておむつ１を着用させたまま、腹側端部５ｂを外して吸収体本体５を開放する。
【００２８】
次に、上述した使い捨ておむつ１の製造方法を説明する。
本実施形態の製造方法は、吸収体本体の形成工程と、背側バンド連続シート（背側帯連続シート）の形成工程と、腹側バンド連続シート（腹側帯連続シート）の形成工程と、背側、腹側バンド連続シート及び吸収体本体の搬送工程と、背側バンド連続シートの固着工程と、腹側バンド連続シートの接合工程と、使い捨ておむつの形成工程とを有する。以下、かかる各工程の詳細を述べる。
【００２９】
なお、吸収体本体の形成工程、背側バンド連続シートの形成工程、腹側バンド連続シートの形成工程は、それぞれ、同時に行われてもよく、また、別個に行われてもよい。要するに、吸収体本体の搬送工程、背側バンド連続シートの固着工程、腹側バンド連続シートの接合工程において、吸収体本体、背側バンド連続シート、腹側バンド連続シートが用いられるようになっていればよい。
【００３０】
吸収体本体の形成工程においては、表面シート６がその長手方向に連続してなる表面連続シート、裏面シート８がその長手方向に連続してなる裏面連続シート、所定形状にカットされた吸収層７等を用いる（以上図示しない）。
まず、図２（ａ）を参照して説明すると、裏面連続シートを、送り方向Ａに送りつつ、その上に、吸収層７を一定の送り間隔ｄ毎に配置し、これらの上に、表面連続シートを重ねて接合することにより、吸収体本体連続シート７Ａを形成する。この吸収体本体連続シート７Ａは、吸収体本体５がその長手方向に連続してなるものである（図２（ａ）では吸収体本体を２個分のみ図示）。
この際、裏面連続シートの所定部位に糸状弾性部材５ｄを配置しておき、表面連続シートの所定部位に被接合部材１０を貼付しておく。
【００３１】
次いで、図２（ｂ）に示すように、吸収体本体連続シート７Ａの両側部分から、所定形状のトリムを一定の間隔毎に切除してレッグギャザー５ｃの外形を形成し、その後、吸収体本体連続シート７Ａを送り間隔ｄ毎に切断して吸収体本体５を複数形成する。
【００３２】
図３に示すように、背側バンド連続シートの形成工程においては、第１、第２の帯状シート３１、３２等を用い、第１の帯状シート３１を、送り方向Ａに送りつつ、その上に、糸状弾性部材１２を送り方向Ａに沿って複数配置し、これらの上に、第２の帯状シート３２を重ねて接合し、さらに、第１の帯状シート３１の外縁部分（胴回り当接部の上部分）を折り返して第２の帯状シート３２の上端部分に重ねて接合することにより、背側バンド連続シート３Ａを形成する。
その後、背側バンド連続シート３Ａの内縁部分（胴回り当接部の下部分）から、所定形状のトリムを送り間隔ｄ毎に切除して張出部３ａを形成する（図４参照）。
【００３３】
腹側バンド連続シートの形成工程においても、上記背側バンド連続シートの形成工程と同様、腹側バンド連続シート４Ａを形成し、その後、腹側バンド連続シート４Ａの内縁部分（胴回り当接部の下部分）から、所定形状のトリムを送り間隔ｄ毎に切除して切欠き部４ａを形成し（図４参照）、その際、その切欠き部４ａの近傍に接合部材９を貼付しておく。なお、接合部材９の貼付領域において、糸状弾性部材１２の伸縮性を無くす観点から、前記貼付領域においては、糸状弾性部材１２を切断・分断してもよい。
【００３４】
図２（ｃ）又は図４に示すように、背側、腹側バンド連続シート及び吸収体本体の搬送工程においては、背側バンド連続シート３Ａと、腹側バンド連続シート４Ａとを、互いに平行にして送り方向Ａに走行させる。
一方、吸収体本体５を、その長手方向が送り方向Ａと直交する方向Ｂに沿うように姿勢を水平回転し、その姿勢を保持しつつ送り方向Ａに連続的且つ間欠的に搬送し、背側バンド連続シート３Ａ及び腹側バンド連続シート４Ａに対して供給する。
【００３５】
図４に示すように、背側バンド連続シートの固着工程においては、吸収体本体５における背側端部５ａの裏面シート８側に、背側バンド連続シート３Ａを、重ねた状態で固着（固定）する。この固着には、例えば、ホットメルト接着剤を用いる。
【００３６】
図４に示すように、腹側バンド連続シートの接合工程においては、吸収体本体５における腹側端部５ｂの表面シート６側に、腹側バンド連続シート４Ａを、重ねた状態で、着脱可能に接合する。この接合は、予め貼付しておいた接合部材９及び被接合部材１０の係合によってなされる。
この際、腹側バンド連続シート４Ａと腹側端部５ｂとの間に、ホットメルト接着剤や溶着手段等を用いて、仮固定部１１を形成する。
【００３７】
その後、使い捨ておむつの形成工程においては、図４に示すような、前工程までに形成された連続構成体を送り方向Ａに沿って均等に二つ折りにし、背側バンド連続シート３Ａと腹側バンド連続シート４Ａとを重ね合わせた状態で送り間隔ｅ毎に接合し、その接合部分を切断することにより、使い捨ておむつ１を複数形成する（以上図示しない）。
この段階で、使い捨ておむつ１は、吸収体本体５の腹側端部５ｂが、腹側バンド４に接合されており、既に、パンツ型形態になっている。
その後、使い捨ておむつ１を、複数個まとめてパック詰めにする。
【００３８】
以上述べたように、本実施形態の使い捨ておむつ１によれば、ウエストバンド２に対し、吸収体本体５を、背側端部５ａで固着する一方で、腹側端部５ｂを腹側バンド４の前面に着脱にするようにしたため、腹側端部５ｂの接合を外すだけで、容易に吸収体本体５の腹側部分を開放でき、この点が、既にパンツ型に組み立てられた使い捨ておむつ１を簡便に製造することつながる。
そして、パンツ型で着用する場合にあっては、その組立作業を必要とせず、そのままの状態で使い捨ておむつ１を着用でき、展開型で着用する場合にあっては、腹側端部５ｂを接合するだけで、簡便にパンツ型に組み立てることができる。
【００３９】
また、本実施形態の使い捨ておむつ１によれば、腹側バンド４に切欠き部４ａを形成したため、表面シート６が腹側バンド４で覆われることを防ぎ、吸収層７の吸収性能を維持することができる。
【００４０】
さらに、本実施形態の使い捨ておむつ１によれば、背側バンド３に張出部３ａを形成したため、吸収体本体５と背側バンド３とが交差する隅部分を埋めて、着用者の臀部に対しエッジの接触による不快感を無くしたり、吸収体本体５のレッグギャザー５ｃを背側バンド３にまで延ばすことができる。
【００４１】
さらにまた、本実施形態の使い捨ておむつ１によれば、腹側バンド４と腹側端部５ｂとの間に仮固定部１１を設けたため、製造段階で腹側端部５ｂの接合が外れないように保護したり、パンツ型形態で使用する場合に腹側端部５ｂの接合を補強することができる。
【００４２】
一方、本実施形態の使い捨ておむつの製造方法によれば、吸収体本体５に対し、背側バンド連続シート３Ａを、裏側（裏面シート側）から背側端部５ａに固着すると共に、腹側バンド連続シート４Ａを、表側（表面シート側）から腹側端部５ｂに接合するようにしたため、既にパンツ型に組み立てられた使い捨ておむつ１を、簡便に製造することができる。
【００４３】
次に、本発明に係る使い捨て着用物品及びその製造方法の好ましい他の実施形態（第２実施形態）を図面を参照して詳細に説明する。
図５に示すように、本実施形態の使い捨ておむつ１’は、概ね、上記第１実施形態の使い捨ておむつと同様の構成であるが、以下に述べる点で異なっている。
【００４４】
腹側バンド４の中央部には、ミシン目（切取部）１３が、縦割り方向に形成されており、接合部材９’は、少なくとも一つの切片状のもので、ミシン目１３に沿って貼付されている。
このミシン目１３は、腹側バンド４の胴回り方向の長さ寸法を調整する際や、使い捨ておむつ１を脱がす際、腹側バンド４を中央部分から切り離しやすくするものである。ここでの接合部材９’は、切離した腹側バンド４を固定する機能のほか、使用済みおむつを廃棄する際、まるめたおむつを包んだ腹側バンド４を固定する機能をも有する。
【００４５】
図６に示すように、本実施形態の使い捨ておむつの製造方法は、腹側バンド連続シートの形成工程のみが、上記第１実施形態の製造方法と異なっている。
腹側バンド連続シートの形成工程においては、腹側バンド連続シート４Ａ’を形成した後、ミシン目１３を形成すると共に、接合部材９’を貼付する。
【００４６】
以上、述べたように本実施形態によれば、腹側バンド４にミシン目１３を形成したため、胴回り調整を容易にできると共に、着用者の姿勢を変えずに、使い捨ておむつ１’を容易に脱がすことができる。
【００４７】
本発明は、上記実施形態に限られることなく、種々の変更を行うことができる。
例えば、背側バンド連続シートの形成工程や、腹側バンド連続シートの形成工程において、一枚の帯状シート３１を用い、図７（ａ）に示すように、その帯状シート３１の外縁部分（胴回り当接部の上部分）を折り返したり、図７（ｂ）に示すように、その帯状シート３１の両側縁部分を折り返してもよい。
図８は、上記第１実施形態の使い捨ておむつ１において、お腹の出た人が着用した場合、腹側バンド４と共に、接合部材９が胴回り方向に伸びた状態のものを示しているが、このように、接合部材９が変形しても、腹側端部５ｂを腹側バンド４に確実に接合する観点から、先端部分の一対の被接合部材１０、１０の間隔Ｌ１を、中腹部分の一対の被接合部材１０、１０の間隔Ｌ２より小さくしてもよい。
図９に示すように、上記第１実施形態の使い捨ておむつ１の製造方法において、吸収体本体の形成工程において、レッグギャザー５ｃ用のトリムを切除せず、また、背側バンド連続シートの形成工程において、張出部３ａ用のトリムを切除せず、使い捨ておむつの形成工程の前に、レッグギャザー５ｃ用のトリム、及び張出部３ａ用のトリムを一括して切除することにより、レッグギャザー５ｃの縁形状と、張出部３ａの縁形状とを一体的に繋がったものにするようにしてもよい。この場合、レッグギャザー５ｃの縁形状と、張出部３ａの縁形状とを整合させる処理を削減できる点で、有利である。
図１０に示すように、上記第１実施形態の使い捨ておむつ１の製造方法において、
張出部３ａの両側部分を通過する糸状弾性部材１２を、レッグギャザー５ｃの糸状弾性部材５ｄに繋がるように、湾曲状に配置してもよい。この場合、張出部３ａとレッグギャザー５ｃとの一体的な伸縮性を容易に得られる点で有利である。
【００４８】
【発明の効果】
本発明によれば、パンツ型で着用する場合にあっては、その組立作業を必要とせず、展開型で着用する場合にあっては、簡便に組立可能な使い捨て着用物品を得ることができる。
また、本発明によれば、既にパンツ型に組み立てられた使い捨て着用物品を簡便に製造し得る、使い捨て着用物品の製造方法を得ることができる。
【図面の簡単な説明】
【図１】（ａ）は、第１実施形態の使い捨ておむつのパンツ型形態を示す斜視図、（ｂ）は、同使い捨ておむつの展開型形態を示す斜視図である。
【図２】（ａ）〜（ｃ）は、第１実施形態の使い捨ておむつの製造方法における、吸収体本体を形成する工程を示す斜視図であり、（ａ）は、股下吸収連続シートを示す図、（ｂ）、（ｃ）は、吸収体本体を示す図である。
【図３】第１実施形態の使い捨ておむつの製造方法における、背側バンドを形成する工程を示す斜視図である。
【図４】第１実施形態の使い捨ておむつの製造方法における、吸収体本体に対し、背側バンド及び腹側バンドをそれぞれ接合する工程を示す斜視図である。
【図５】第２実施形態の使い捨ておむつのパンツ型形態を示す斜視図である。
【図６】第２実施形態の使い捨ておむつの製造方法における、吸収体本体に対し、背側バンド及び腹側バンドをそれぞれ接合する工程を示す斜視図である。
【図７】（ａ）、（ｂ）は、他の実施形態の使い捨ておむつの製造方法における、背側バンドを形成する工程を示す斜視図である。
【図８】第１実施形態の使い捨ておむつの変形例を示す斜視図である。
【図９】第１実施形態の使い捨ておむつの製造方法の変形例を示す図である。
【図１０】第１実施形態の使い捨ておむつの製造方法の変形例を示す図である。
【符号の説明】
２    ウエストバンド（胴回り帯体）
３    背側バンド（背側帯体）
３ａ  張出部
３Ａ  背側バンド連続シート
４    腹側バンド（腹側帯体）
４ａ  切欠き部
４Ａ  腹側バンド連続シート
５    吸収体本体
５ａ  背側端部（一端部）
５ｂ  腹側端部（他端部）
６    表面シート
７    吸収層
８    裏面シート
１１    仮固定部
１３    ミシン目（切取部）
Ａ    送り方向
【図１】
2005021196.tif 000003
【図２】
2005021196.tif 000004
【図３】
2005021196.tif 000005
【図４】
2005021196.tif 000006
【図５】
2005021196.tif 000007
【図６】
2005021196.tif 000008
【図７】
2005021196.tif 000009
【図８】
2005021196.tif 000010
【図９】
2005021196.tif 000011
【図１０】
2005021196.tif 000012